(57)【特許請求の範囲】
【請求項１】
同期信号を含む映像信号から、設定スライスレベルを利用して同期信号を分離する同期分離回路において、
映像信号の最小レベルを検出する最小レベル検出手段と、
水平同期信号の立ち下がりから所定期間経過後の映像信号のレベルからシンクチップレベルを検出するシンクチップレベル検出手段と、
水平同期信号の立ち下がりから所定期間経過後の映像信号のレベルからペデスタルレベルを検出するペデスタルレベル検出手段と、
前記シンクチップレベル検出手段によって検出されたシンクチップレベルと、前記ペデスタルレベル検出手段によって検出したペデスタルレベルの両方から、それらの中間にある目標スライスレベルを１垂直期間毎に算出する目標スライスレベル算出手段と、
前記目標スライスレベルの算出に用いたシンクチップレベルおよびペデスタルレベルと、その段階ですでに設定されている現在スライスレベルを比較し、その比較結果において現在スライスレベルが不適であると判定された場合には前記最小レベル検出手段で検出した最小レベルに基づき前記設定スライスレベルを設定し、比較結果において現在スライスレベルが適であると判定された場合には前記設定スライスレベルを所定の時定数を持って前記目標スライスレベルに近づくように変更するスライスレベル設定手段と、
を有することを特徴とする同期分離回路。
【請求項２】
請求項１に記載の同期分離回路であって、
前記スライスレベル設定手段は、初期設定として、前記最小レベルに応じて初期スライスレベルを設定することを特徴とする同期分離回路。
【請求項３】
請求項１または２に記載の同期分離回路であって、
前記スライスレベル設定手段は、その時に設定されている現在スライスレベルが、検出したシンクチップレベルおよびペデスタルレベルの中間に入っていない時に不適と判断することを特徴とする同期分離回路。
【発明の詳細な説明】
【技術分野】
【０００１】
同期信号を含む映像信号から同期信号を分離する同期分離回路に関する。
【背景技術】
【０００２】
従来より、ＴＶ受像機、ビデオ再生機など、各種の映像信号処理装置では、入力映像信号から同期信号を分離し、分離した同期信号を利用して再生などの処理を行っている。同期信号は、水平帰線期間や、垂直帰線期間において、低レベルの信号として映像信号に挿入されている。そこで、通常所定レベルのしきい値と映像信号を比較し、所定レベル以下の部分を抽出することで同期信号を分離している。
【０００３】
映像信号には、同期信号の底のレベルを示すシンクチップレベルと、カラーバースト信号が重畳されるポーチ部分のレベルであるペデスタルレベルがあり、映像信号をスライスして同期信号を得るために、これらシンクチップレベルおよびペデスタルレベルの中間レベルをスライスレベルに設定することが多い。
【０００４】
【特許文献１】特開平１１−２２０６３４号公報
【発明の開示】
【発明が解決しようとする課題】
【０００５】
上述のように、シンクチップレベルおよびペデスタルレベルの中間レベルをスライスレベルに設定している場合、ビデオ再生においてビデオの再生信号レベルが大きく変化する場合や、ＴＶ信号において、弱電界のため受信信号レベルが大きく変化する場合などでは、必ずしも適切な同期分離が行えない場合もある。
【課題を解決するための手段】
【０００６】
本発明は、同期信号を含む映像信号から、設定スライスレベルを利用して同期信号を分離する同期分離回路において、映像信号の最小レベルを検出する最小レベル検出手段と、水平同期信号の立ち下がりから所定期間経過後の映像信号のレベルからシンクチップレベルを検出するシンクチップレベル検出手段と、水平同期信号の立ち下がりから所定期間経過後の映像信号のレベルからペデスタルレベルを検出するペデスタルレベル検出手段と、前記シンクチップレベル検出手段によって検出されたシンクチップレベルと、前記ペデスタルレベル検出手段によって検出したペデスタルレベルの両方から、それらの中間にある目標スライスレベルを１垂直期間毎に算出する目標スライスレベル算出手段と、前記目標スライスレベルの算出に用いたシンクチップレベルおよびペデスタルレベルと、その段階ですでに設定されている現在スライスレベルを比較し、その比較結果において現在スライスレベルが不適であると判定された場合には前記最小レベル検出手段で検出した最小レベルに基づき前記設定スライスレベルを設定し、比較結果において現在スライスレベルが適であると判定された場合には前記設定スライスレベルを所定の時定数を持って前記目標スライスレベルに近づくように変更するスライスレベル設定手段と、を有することを特徴とする。
【０００７】
また、前記スライスレベル設定手段は、前記スライスレベル設定手段は、初期設定として、前記最小レベルに応じて初期スライスレベルを設定することが好適である。
【０００９】
また、前記スライスレベル設定手段は、その時に設定されている現在スライスレベルが、検出したシンクチップレベルおよびペデスタルレベルの中間に入っていない時に不適と判断することが好適である。
【発明の効果】
【００１０】
本発明によれば、シンクチップレベルおよびペデスタルレベルから求めたスライスレベルが不適な場合に、最小レベルから求めたスライスレベルを採用できる。
【発明を実施するための最良の形態】
【００１１】
以下、本発明の実施形態について、図面に基づいて説明する。
【００１２】
図１は、実施形態の構成を示すブロック図である。映像信号は、比較回路１０に供給される。この比較回路１０には、スライスレベルが供給されており、このスライスレベルで映像信号をスライスし、スライスレベル以下の部分を取り出し、水平および垂直同期信号を検出する。そして、検出した同期信号が比較回路から出力され、映像信号再生に使用される。なお、分離された同期信号から水平同期信号と、垂直同期信号が個別検出され、各種処理に利用される。
【００１３】
また、検出した水平同期信号は、シンクチップレベル検出部１２供給され、ここで水平同期信号の立ち下がりから所定期間経過後の映像信号のレベルからシンクチップレベルが検出される。また、水平同期信号はペデスタルレベル検出部１４にも供給され、ここで水平同期信号の立ち上がりから所定期間経過後の映像信号のレベルからペデスタルレベルが検出される。
【００１４】
この検出されたシンクチップレベルおよびペデスタルレベルは、目標スライスレベル算出部１６に入力される。この目標スライスレベル算出部１６は、入力されてくるシンクチップレベルおよびペデスタルレベルから、その中間の値に目標スライスレベルを設定する。例えば、両者レベルの真ん中にするが、いずれかから１／４離れた部分でもよく、ノイズなどの影響を考慮して、どちらかに余り近くない値に適宜設定される。
【００１５】
目標スライスレベルは、加算器１８に供給され、ここで現在のスライスレベルが減算され、両者の差が算出される。加算器１８の出力はゲインコントロール部２０に供給され、ここで、所定のゲインが乗算される。例えば、このゲインは１／Ｘであり、Ｘ＞１である。Ｘを大きくするほど、ゲインが小さくなり、時定数の大きなスライスレベル制御が行われる。なお、Ｘを、差の値に応じて変化させてもよい。
【００１６】
ゲインコントロール部２０の出力は、加算器２２に供給され、ここで現在のスライスレベルが加算され、新しいスライスレベルが算出され、これがスライスレベル制御部２４に供給される。
【００１７】
ここで、この新しいスライスレベルは、各水平期間毎に算出される。しかし、実際に使用するスライスレベルを水平期間毎に変更するのは好ましくないと考えられ、スライスレベル制御部２４は、１垂直期間（１フィールド）毎に、全部の平均値や、いくつかの平均値をとるなどの手法によって、１つの新しいスライスレベルを算出する。
【００１８】
そして、新しいスライスレベルが、スライスレベル記憶部２６に供給され、１垂直期間毎に更新され、このスライスレベル記憶部２６に記憶されているスライスレベルが、比較回路１０に供給される。
【００１９】
さらに、映像信号は最小レベル検出部２８に供給され、ここで最小レベルが水平ライン毎に検出される。そして、検出した最小レベルがスライスレベル制御部２４に供給される。スライスレベル制御部２４は、供給された最小レベルに適切な値αを加算して、最小レベルから算出したスライスレベルを生成する。最小レベルは、ほぼシンクチップレベルに対応するため、通常のシンクチップレベルとペデスタルレベルの値からその中間になるようにαを決定するとよい。
【００２０】
ここで、回路の立ち上がり時には、スライスレベルが決定されておらず、シンクチップレベルも、ペデスタルレベルも得られていない。一方、最小レベル検出部２８は、映像信号があれば、最小レベルを検出できる。そこで、スライスレベル制御部２４は、システム立ち上がり時において、最小レベルから算出したスライスレベルを採用し、これをスライスレベル記憶部２６に供給、記憶する。また、スライスレベル制御部２４は、目標スライスレベルが適切でないと判定した場合にも、最小レベルから算出したスライスレベルを採用し、これをスライスレベル記憶部２６に供給、記憶する。なお、この適切でないという判定のため、このスライスレベル制御部２４には、検出されたシンクチップレベルおよびペデスタルレベルも供給されている。
【００２１】
このようなスライスレベル設定の動作について、図２に基づいて説明する。まず、最小レベル検出部２８は、映像信号について最小レベルを各水平ライン毎に検出する（Ｓ１１）。検出された最小レベルはスライスレベル制御部２４に供給され、スライスレベル制御部２４は、供給される最小レベルにαを加算し、これをスライスレベルとし、スライスレベル記憶部２６に記憶する（Ｓ１２）。そこで、スライスレベル記憶部２６に設定されたスライスレベルに基づいて、比較回路１０が、映像信号から同期信号を分離し、シンクチップレベル検出部１２、ペデスタルレベル検出部１４がシンクチップレベル、ペデスタルレベルを検出する（Ｓ１３）。
【００２２】
目標スライスレベル算出部１６が、検出されたシンクチップレベル、ペデスタルレベルから目標スライスレベルを算出する（Ｓ１４）。次に、スライスレベル制御部２４が垂直同期信号を検出した場合（Ｓ１５）には、スライスレベル部２４は、シンクチップレベル、ペデスタルレベル、現在のスライスレベルが条件を満たしているかを判定する（Ｓ１６）。すなわち、シンクチップレベル＜スライスレベル＜ペデスタルレベルという条件を満たすかどうかを判定する。シンクチップレベル、ペデスタルレベルは、１垂直期間における平均でもよいし、数水平期間の平均などでもよく、目標スライスレベル算出の基になるデータとすればよい。一方、スライスレベルは、その時利用されているスライスレベルである。これによって、入力映像信号が大きく異なって、スライスレベルが不適切となったことをすぐに検出できる。
【００２３】
そして、このＳ１６の判定で、条件を満たしていないと判定された場合には、Ｓ１２に戻り、最小レベルから求めたスライスレベルをスライスレベル記憶部２６に記憶させる。そこで、スライスレベルをその時の映像信号に合わせた値にリセットすることができる。
【００２４】
一方、Ｓ１５の判定で、条件を満たしていた場合には、目標スライスレベルに所定の時定数で近づけた新しいスライスレベルをスライスレベル記憶部２６に記憶する（Ｓ１７）。これによって、新しいスライスレベルに更新される。さらに、この更新されたスライスレベルが加算器１８，２２に供給される。
【００２５】
なお、最小レベルの検出の検出は、１水平ライン毎に行い、最小レベルから求めたスライスレベルのスライスレベル記憶部２６への記憶は、１垂直期間を単位として行うことが好適である。この場合、Ｓ１５においてＮＯの場合にＳ１１に戻り、Ｓ１２において１水平期間経過後の最小レベル＋αをスライスレベル記憶部２６に記憶すればよい。
【００２６】
このように、本実施形態によれば、設定されているスライスレベルが不適切な場合に、映像信号の最小レベルから求めたスライスレベルを採用する。これによって映像信号が変動した場合に、早期にスライスレベルのリセットを行うことができる。また、スライスレベルの変更について所定の時定数を設けて行うため、ノイズ等の影響を受けにくいという効果が得られる。
【図面の簡単な説明】
【００２７】
【図１】実施形態の構成を示す図である。
【図２】実施形態の動作を説明するフローチャートである。
【符号の説明】
【００２８】
１０  比較回路、１２  シンクチップレベル検出部、１４  ペデスタルレベル検出部、１６  目標スライスレベル算出部、１８，２２  加算器、２０  ゲインコントロール部、２４  スライスレベル制御部、２６  スライスレベル記憶部、２８  最小レベル検出部。
【図１】
0005237606.tif 000002
【図２】
0005237606.tif 000003